(57)【要約】【課題】持ち変えることなく、誰でも１周未満の回転で容易に容器口部に巻き締め固定することが可能なコネクタを提供する。【解決手段】外面に切欠き部５０を有する螺条３１が形成された容器口部３０に螺子締結され且つ容器口部３０に螺子締結された状態で容器口部内空間と連通する貫通口を供えたコネクタ１において、コネクタ１の内面壁には、螺条７が３６０度以上にわたって形成されており、コネクタ１を容器口部３０に巻き締めたとき、コネクタ１の螺条７と容器口部３０の螺条３１とは、１８０度乃至２７０度にわたって互いに係合しており、且つコネクタ１の螺条７には、巻き締め終了時において、容器口部の螺条３１に形成された切欠き部５０に係合する上方に突出した突起部７ａが形成されている。【選択図】図５
2008295591.tif 000002
【特許請求の範囲】
【請求項１】
外面に切欠き部を有する螺条が形成された容器口部に螺子締結され且つ該容器口部に螺子締結された状態で容器口部内空間と連通する貫通口を供えたコネクタにおいて、
該コネクタの内面壁には、螺条が３６０度以上にわたって形成されており、該コネクタの螺条よりも上側部分には、該コネクタが容器口部に巻き締められたときに容器口部の上端に当接する当接部が形成されており、
該コネクタを容器口部に巻き締めたとき、容器口部の上端が前記当接部に当接することによって画定される巻き締め終了時において、該コネクタの螺条と容器口部の螺条とは、１８０度乃至２７０度にわたって互いに係合しているとともに、
該コネクタの螺条には、前記巻き締め終了時において、前記容器口部の螺条に形成された切欠き部に係合する上方に突出した突起部が形成されていることを特徴とするコネクタ。
【発明の詳細な説明】
【技術分野】
【０００１】
本発明は、容器口部に螺子締結され、容器内容物の取り出しに使用されるコネクタに関するものである。
【背景技術】
【０００２】
従来、各種医薬が充填されたバッグなどの容器は、その口部に螺子締結されたキャップを取り外し、該口部に中空筒状形状のコネクタを接続し、このコネクタに点滴用のチューブを接続し、容器内の医薬を投与するという手段が採用されている。
【０００３】
このようなコネクタは、一般に、容器口部に巻き締めて螺子締結されるものであり、例えば特許文献１には、内壁面に容器口部の外面に形成されている螺条と係合するネジ山を備えたコネクタが開示されている。
【特許文献１】特開２００６−４２８５６号
【発明の開示】
【発明が解決しようとする課題】
【０００４】
ところで、上記のような公知のコネクタは、これを容器口部に３６０度以上回転させて巻き締めて固定している。１回の回転で巻き締め固定することができず、途中でコネクタを持ち変えてコネクタを回転させなければならないという煩わしさがあった。
【０００５】
従って、本発明の目的は、持ち変えることなく、誰でも１周未満の回転で容易に容器口部に巻き締め固定することが可能なコネクタを提供することにある。
【課題を解決するための手段】
【０００６】
本発明によれば、外面に切欠き部を有する螺条が形成された容器口部に螺子締結され且つ該容器口部に螺子締結された状態で容器口部内空間と連通する貫通口を供えたコネクタにおいて、
該コネクタの内面壁には、螺条が３６０度以上にわたって形成されており、該コネクタの螺条よりも上側部分には、該コネクタが容器口部に巻き締められたときに容器口部の上端に当接する当接部が形成されており、
該コネクタを容器口部に巻き締めたとき、容器口部の上端が前記当接部に当接することによって画定される巻き締め終了時において、該コネクタの螺条と容器口部の螺条とは、１８０度乃至２７０度にわたって互いに係合しているとともに、
該コネクタの螺条には、前記巻き締め終了時において、前記容器口部の螺条に形成された切欠き部に係合する上方に突出した突起部が形成されていることを特徴とするコネクタが提供される。
【発明の効果】
【０００７】
本発明のコネクタは、医薬等の内容物が充填された容器の口部に被せて、これを巻き締めて容器口部の外面に螺子係合させることにより固定されるが、このような巻き締めは、１周（３６０度）以上にわたって回転させる必要はなく、半周（１８０度）乃至３／４周（２７０度）の回転でよい。従って、容器口部にコネクタを巻き締めて固定する際に、誰でもコネクタを持ち変えることなく、容易に容器口部に固定することができる。
【０００８】
また、本発明においては、コネクタの螺条に上方に突出した突起が形成されており、巻き締め終了時において、この突起が容器の螺条に形成された切欠き部に係合するような位置に設定されている。即ち、本発明のコネクタでは、螺子係合幅が短く設定されており、半周乃至３／４周の回転で巻き締めが終了する。このため、一般の使用者が巻き締め終了を認識することができず、さらにコネクタを回転させようとするおそれがあるが、本発明では、巻き締め終了時に上記突起が容器口部の螺条の切欠き部に係合するため、巻き締め終了の閉塞感を使用者に与え、これにより、必要以上にコネクタを回転させようとするなどの不都合を有効に防止することができる。
【０００９】
また、上記の突起と切欠き部との係合により、コネクタが安定に容器口部に保持され、螺子係合幅が短く設定されたことによるコネクタのガタツキなども有効に防止することができる。
【発明を実施するための最良の形態】
【００１０】
本発明を、以下、本発明を添付図面に基づいて詳細に説明する。
図１は、本発明のコネクタの側断面図であり、
図２は、コネクタが巻き締められる容器口部を示す側面図であり、
図３は、図１のコネクタを図２の容器口部に巻き締めた状態を示す側断面図であり、
図４は、従来公知のコネクタを容器口部に巻き締めた状態での螺子係合状態を説明するための展開図であり、
図５は、図１の本発明のコネクタを容器口部に巻き締めた状態での螺子係合状態を説明するための展開図であり、
図６は、本発明において好適なコネクタを容器口部に巻き締めた状態を示す要部側断面図である。
【００１１】
図１を参照して、全体として１で示す本発明のコネクタは、全体的に中空筒状の形態を有しているものであり、その下方部分に形成されている基筒３と基筒３の上端に一体に連なっている連結筒５とからなっており、基筒３から連結筒５にわたって貫通口６が形成されている。
【００１２】
基筒３は、その内部に後述する容器口部３０が挿入されて巻き締め固定される部分であり、その内壁面には、螺条７が形成され、その外面には、巻き締めに際しての滑り止め防止用のローレット９が形成されている。
【００１３】
連結筒５は、ホース乃至チューブ等の部材が接続される部分であり、上部にいくにしたがって小径となっているテーパー形状を有しており、その外面には、ホース乃至チューブを接続したときの抜けを防止するための周方向に延びる突起１１が軸方向に複数個設けられている。
【００１４】
上記のコネクタ１の内壁には、基筒３と連結筒５との境界部分に段差部１３が形成されている。この段差部１３は、コネクタ１を容器口部に巻き締めたときに容器口部３０の上端との当接部となる部分であり、連結筒５の内面から段差部１３よりも下方に延びたリング１５が設けられており、コネクタ１を巻き締めたときに、このリング１５の外周面が容器口部３０内周面に当接し、段差部１３は容器口部３０の上端に当接することとなり、これにより、コネクタ１の巻き締め状態が安定に保持され容器口部３０とコネクタ１とのシール性が確保されることとなる。
【００１５】
また、図２を参照して、容器口部３０は、ボトルのように容器と一体に形成されるものであったり、或いは袋状容器の開口部にヒートシールなどにより接着固定されるスパウトと呼ばれるものであり、その外面には、少なくとも１８０度以上にわたって延びている螺条３１が形成されており、螺条３１の下方には、この容器口部３０に装着されるキャップに設けられたタンパーエビデントバンドを切り離すためのラチェット３３や容器の搬送等に用いられるサポートリング３５などが設けられている。
【００１６】
また、上記螺条３１には、切欠き部５０が形成されている。この切欠き部５０は、図２から理解されるように、例えば９０度間隔で形成されており、各切欠き部５０が直線状に位置するように配置されている。かかる容器口部３０には、図示されていないが、螺条３１との螺子係合によりキャップが巻き締め固定され、これにより、容器内が密封されるようになっているが、切欠き部５０の形成により、例えば容器内に内容物を充填し、容器口部３０にキャップを締結した後、シャワー等により洗浄を行なったとき、キャップの内面と容器口部３０の外面との間に侵入した洗浄液が速やかに外部に排出されるようになっている。
【００１７】
本発明において、図１に示すコネクタ１は、図２の容器口部３０からキャップを取り外した後に、その基筒１に容器口部３０に被せ、閉栓方向に回転させて螺条３１にコネクタ１の螺条７を螺子係合せしめることにより、容器口部１に巻き締められることとなる。この巻き締め状態は、図３に示したようなものとなる。即ち、巻き締め状態では、前述したように、リング１５の外周面が容器口部３０内周面に当接し、容器口部３０の上端が段差部１３に当接することとなる。
【００１８】
一般に、図３に示すような巻き締め状態で、コネクタ１の連結筒５にホースやチューブ等の部材を接続し、容器口部３０の開口からコネクタ１の貫通口６を介して医薬等の容器内容物が排出され、接続されたホースやチューブから例えば患者に医薬等の内容物が投与されるわけである。
【００１９】
本発明においては、コネクタ１の螺条７が３６０度以上にわたって形成されているが、図３の巻き締め状態において、コネクタ１の螺条７と容器口部３０の螺条３１とが１８０度乃至２７０度にわたって互いに係合していることが重要であり、このような角度幅で螺条７と螺条３１とが係合するように、螺条７の下端位置が設定されている。
【００２０】
図４は、従来公知のコネクタを容器口部３０に巻き締めた状態での螺子係合状態を示す展開図であるが、図４から理解されるように、容器口部３０の上端が段差部１３に当接している巻き締め状態では、コネクタ１の螺条７は、３６０度以上にわたって容器口部３０の螺条３１と係合しており、螺条７の全体が螺条３１の下側に入り込んだ状態となっている。このような螺子係合状態は、キャップと容器口部３０との螺子係合状態と全く同様であり、これにより、十分な螺子係合幅を確保し、良好なシール性を確保しているわけである。
【００２１】
しかしながら、上記のような螺子係合状態とするためには、少なくとも１周にわたってコネクタ１を回転させなければならず、従って、人によっては、コネクタ１を巻き締める際に、コネクタ１を持ち変えなければならないという煩わしさがある。
【００２２】
これに対して、本発明では、巻き締め状態において、コネクタ１の螺条７と容器口部３０の螺条３１との係合幅が１８０度乃至２７０度の範囲に設定されているため、上記のような煩わしさはない。例えば図５には、係合幅を１８０度に設定した場合について、螺条７の１８０度分が螺条３１の下側に位置し、残りの部分が螺条３１の上側に位置した状態に保持されている。即ち、このような巻き締め状態とするためには、コネクタ１を半回転すればよく（係合幅を２７０度に設定した場合には、３／４回転させればよい）、従って、巻き締めの途中でコネクタ１を持ち変える必要はなく、誰でも容易に、巻き締めを行なうことが可能となるものである。
【００２３】
尚、本発明においては、螺子係合幅が３６０度未満（１８０度乃至２７０度）に設定されているため、螺子係合の観点からは、螺条７の長さを３６０度未満に設定することは可能である。しかしながら、この場合には、コネクタ１を成形する際、成形後の型抜き時において、コネクタ１の内面に螺条７が形成されていない部分が存在するため、型抜きによって発生する応力が不均等になり、この結果、コネクタ１自体が変形してしまうという不都合を生じることがある。このような成形時の不都合を防止するため、螺条７は、３６０度以上の長さとすべきである。
【００２４】
また、本発明においては、従来公知のコネクタと比較すると螺子係合幅が短くなっているが、コネクタ１は、容器内容物を密封保存するために使用されるものではないため、螺子係合幅が短いことによるシール性低下に関する問題は全くない。
【００２５】
さらに本発明においては、図１に示されているように、コネクタ１の螺条７には、上方に突出した突起部７ａが形成されている。この突起部７ａは、図５の巻き締め終了時の螺子締結状態の展開図から理解されるように、巻き締め終了時において、容器口部３０の螺条３１に形成された切欠き部５０に係合するような位置に設けられているものである。
【００２６】
即ち、前述した構造を有する本発明のコネクタでは、先にも述べたように、螺子係合幅が短く設定されており、１周未満（半周乃至３／４周）の回転で巻き締めが終了するため、一般の使用者が巻き締め終了を認識することができず、さらにコネクタを回転させようとするおそれがある。しかるに、上記のような突起７ａを螺条７に設けておくと、巻き締め終了時に突起７ａが容器口部３０の螺条３１の切欠き部に係合することとなり、この結果、巻き締め終了時にカチッという音や抵抗感などの閉塞感を使用者に与え、これにより、必要以上にコネクタを回転させようとするなどの不都合を有効に防止することができることとなる。
【００２７】
さらには、上記のような突起７ａを形成しておくことにより、巻き締め終了時に該突起７ａが切欠き部５０に係合するため、コネクタ１が安定に容器口部３０に保持され、螺子係合幅が短く設定されたことによるコネクタ１のガタツキなども有効に防止することができる。
【００２８】
さらに、本発明のコネクタ１において、図６の好適例に示すように、コネクタ１の基筒３の内面壁にリブ２０を設けることもできる。このリブ２０は、容器口部３０との当接部となる段差部１３と螺条７の上端との間の位置に設けられ、且つ高さ方向に延びているものであり、リブ２０の高さは螺条７の突出長さよりも低く、巻き締めたときに、容器口部３０の内面に接触しないように設けられている。このようなリブ２０を基筒３の内面壁の全周にわたって均等に配置しておくことにより、巻き締められたコネクタ１の傾倒がリブ２０によって矯正され、コネクタ１は常に正常な状態に維持され、コネクタ１のガタツキ等を確実に防止することができ、容器口部３０に安定に保持することが可能となる。
【００２９】
上述した本発明のコネクタ１は、ポリエチレン、ポリプロピレンに代表される各種熱可塑性プラスチックを用いての射出成形等の公知の手段によって容易に成形され、例えば各種医薬が充填された医療用包装バッグなどの容器の口部に巻き締められ、このコネクタ１にホースやチューブ等の管を接続して患者等への医薬の投入に利用される。勿論、ボトルなどの飲料容器などの口部に接続し、コネクタ１から直接容器内容物を喫飲するなどの用途に適用することも可能である。
【図面の簡単な説明】
【００３０】
【図１】本発明のコネクタの側断面図。
【図２】コネクタが巻き締められる容器口部を示す側面図。
【図３】図１のコネクタを図２の容器口部に巻き締めた状態を示す側断面図。
【図４】従来公知のコネクタを容器口部に巻き締めた状態での螺子係合状態を説明するための展開図。
【図５】図１の本発明のコネクタを容器口部に巻き締めた状態での螺子係合状態を説明するための展開図。
【図６】本発明において好適なコネクタを容器口部に巻き締めた状態を示す要部側断面図。
【符号の説明】
【００３１】
１：コネクタ
７：螺条
７ａ：突起
１３：段差部（当接部）
２０：リブ
３０：容器口部
３１：螺条
５０：切欠き部
【図１】
2008295591.tif 000003
【図２】
2008295591.tif 000004
【図３】
2008295591.tif 000005
【図４】
2008295591.tif 000006
【図５】
2008295591.tif 000007
【図６】
2008295591.tif 000008